(57)【要約】【課題】簡単な構成により低コストで、所望の光学的効果即ち方向性または色彩を得るようにした表示灯用電球と、これに使用されるカラーキャップを提供する。【解決手段】ベース部１１と、ベース部上に設けられ内部にフィラメントを有するバルブ１２と、バルブ全体に被嵌されるプラスチック製のカラーキャップ１３と、から構成されている表示灯用電球１０において、上記カラーキャップ１３が、バルブの頂部に対応する第一の領域１３ａ及びバルブの側部に対応する第二の領域１３ｂにて、それぞれ異なる光学的効果を備えるように、二色成形されることにより、表示灯用電球１０を構成する。【選択図】　　　　図１
2004127803.tif 000002
【特許請求の範囲】
【請求項１】
ベース部と、ベース部上に設けられ内部にフィラメントを有するバルブと、バルブ全体に被嵌されるプラスチック製のカラーキャップと、から構成されている表示灯用電球において、
上記カラーキャップが、バルブの頂部に対応する第一の領域及びバルブの側部に対応する第二の領域にて、それぞれ異なる光学的効果を備えるように、二色成形されていることを特徴とする、表示灯用電球。
【請求項２】
上記光学的効果が、透光性及び遮光性であることを特徴とする、請求項１に記載の表示灯用電球。
【請求項３】
上記カラーキャップの第一の領域が、光学的効果として遮光性を備えており、第二の領域が光学的効果として透光性を備えていることを特徴とする、請求項１に記載の表示灯用電球。
【請求項４】
上記カラーキャップの第一の領域が、光学的効果として透光性を備えており、第二の領域が光学的効果として遮光性を備えていることを特徴とする、請求項１に記載の表示灯用電球。
【請求項５】
上記光学的効果が、着色効果であることを特徴とする、請求項１に記載の表示灯用電球。
【請求項６】
上記カラーキャップの第一の領域及び第二の領域が、それぞれ外部に出射する透過光の色が互いに同じ色になるように、光学的効果として互いに異なる着色効果を備えていることを特徴とする、請求項１に記載の表示灯用電球。
【請求項７】
表示灯用電球のベース部上に設けられ内部にフィラメントを有するバルブに被嵌されるプラスチック製のカラーキャップであって、
バルブの頂部に対応する第一の領域及びバルブの側部に対応する第二の領域にて、それぞれ異なる光学的効果を備えるように、二色成形されていることを特徴とする、表示灯用電球のカラーキャップ。
【発明の詳細な説明】
【０００１】
【発明の属する技術分野】
本発明は、例えば自動車の車載用カーステレオやスイッチ関係の照明用の表示灯等で使用される表示灯用電球と、これに使用されるカラーキャップに関するものである。
【０００２】
【従来の技術】
従来、このような表示灯用電球は、例えば図５乃至図７に示すように、構成されている。
図５においては、表示灯用電球１は、ベース部２と、ベース部２の上に備えられたガラス等の透光材料から成るバルブ３と、を含んでおり、バルブ３内に封入されたフィラメント（図示せず）に対して外部からベース部２を介して給電されることにより、フィラメントが赤熱して発光するようになっている。
【０００３】
そして、表示灯用電球１は、バルブ３の頂部３ａから光軸方向に沿って出射する光を遮断するように、頂部３ａに遮光部４を備えている。
ここで、遮光部４は、例えば遮光材料の塗装あるいはアルミニウム等の金属膜の蒸着により形成されている。
【０００４】
このような構成の表示灯用電球１によれば、外部からの給電によりフィラメントが発光すると、フィラメントからの光は、バルブ３の頂部３ａ及び側部３ｂから外部に出射しようとする。その際、バルブ３の頂部３ａに向かって進む光は、遮光部４により遮断されることにより、外部には出射せず、バルブ３の側部３ｂに向かって進む光のみが、バルブ３の側部３ｂを透過して外部に出射する。これにより、表示灯用電球１は、側方のみに光を照射することができる。
【０００５】
また、図６においては、表示灯用電球５は、同様にベース部２及びバルブ３と、さらにバルブ３の側部３ｂから側方に出射する光を遮断するように、側部３ｂに遮光部６を備えている。
ここで、遮光部６は、例えば遮光材料から成るチューブあるいはアルミニウム灯の金属膜の蒸着により形成されている。
【０００６】
このような構成の表示灯用電球５によれば、外部からの給電によりフィラメントが発光すると、フィラメントからの光は、バルブ３の頂部３ａ及び側部３ｂから外部に出射しようとする。その際、バルブ３の側部３ｂに向かって進む光は、遮光部６により遮断されることにより、外部には出射せず、バルブ３の頂部３ａに向かって進む光のみが、バルブ３の頂部３ａを透過して外部に出射する。これにより、表示灯用電球１は、光軸方向のみに光を照射することができる。
【０００７】
さらに、図７においては、表示灯用電球７は、同様にベース部２及びバルブ３と、さらにバルブ３の頂部３ａ及び側部３ｂから外部に出射する光の色を変更するように、頂部３ａ及び側部３ｂを覆うカラーキャップ８を備えている。
ここで、カラーキャップ８は、所望の色彩に着色された透光性材料、例えばプラスチックから構成されている。
【０００８】
このような構成の表示灯用電球７によれば、外部からの給電によりフィラメントが発光すると、フィラメントからの光は、バルブ３の頂部３ａ及び側部３ｂから外部に出射しようとする。その際、バルブ３の頂部３ａ及び側部３ｂに向かって進む光は、カラーキャップ８を透過することにより、カラーキャップ８と同色の光のみが透過し、他の色の光はカラーキャップ８により吸収されることにより、カラーキャップ８と同色の光のみが、バルブ３の頂部３ａ及び側部３ｂを透過して外部に出射する。これにより、表示灯用電球１は、カラーキャップ８の色に着色された光を照射することができる。
【０００９】
【発明が解決しようとする課題】
しかしながら、上記表示灯用電球５及び６においては、遮光部４，６が塗装により構成されている場合には、塗装後に塗膜を乾燥させるための時間及びスペースが必要になり、コストが高くなってしまうと共に、塗装剥がれのおそれがある。
また、遮光部４，６が金属膜の蒸着により構成されている場合には、非蒸着部分のマスキングが必要になると共に、蒸着設備が必要であることから、同様にコストが高くなってしまう。
さらに、カラーキャップ８を使用して光に着色を行なう場合には、バルブ３の内部のフィラメントの位置により、バルブ３の頂部３ａと側部３ｂから出射する光の色が微妙に異なることがある。
【００１０】
本発明は、以上の点から、簡単な構成により低コストで、所望の光学的効果即ち方向性または色彩を得るようにした、表示灯用電球と、これに使用されるカラーキャップを提供することを目的としている。
【００１１】
【課題を解決するための手段】
上記目的は、本発明の第一の構成によれば、ベース部と、ベース部上に設けられ内部にフィラメントを有するバルブと、バルブ全体に被嵌されるプラスチック製のカラーキャップと、から構成されている表示灯用電球において、上記カラーキャップが、バルブの頂部に対応する第一の領域及びバルブの側部に対応する第二の領域にて、それぞれ異なる光学的効果を備えるように、二色成形されていることを特徴とする、表示灯用電球により、達成される。
【００１２】
本発明による表示灯用電球は、好ましくは、上記光学的効果が、透光性及び遮光性である。
【００１３】
本発明による表示灯用電球は、好ましくは、上記カラーキャップの第一の領域が、光学的効果として遮光性を備えており、第二の領域が光学的効果として透光性を備えている。
【００１４】
本発明による表示灯用電球は、好ましくは、上記カラーキャップの第一の領域が、光学的効果として透光性を備えており、第二の領域が光学的効果として遮光性を備えている。
【００１５】
本発明による表示灯用電球は、好ましくは、上記光学的効果が、着色効果である。
【００１６】
本発明による表示灯用電球は、好ましくは、上記カラーキャップの第一の領域及び第二の領域が、それぞれ外部に出射する透過光の色が互いに同じ色になるように、光学的効果として互いに異なる着色効果を備えている。
【００１７】
上記目的は、本発明の第二の構成によれば、表示灯用電球のベース部上に設けられ内部にフィラメントを有するバルブに被嵌されるプラスチック製のカラーキャップであって、バルブの頂部に対応する第一の領域及びバルブの側部に対応する第二の領域にて、それぞれ異なる光学的効果を備えるように、二色成形されていることを特徴とする、表示灯用電球のカラーキャップにより、達成される。
【００１８】
上記第一の構成によれば、カラーキャップが、バルブの頂部及び側部に対応する第一及び第二の領域にて、それぞれ異なる光学的効果を備えるように二色成形されているので、点灯時にフィラメントから出射する光のうち、バルブの頂部に向かって進む光は、バルブの頂部を透過し、さらにカラーキャップの第一の領域を透過することにより、第一の光学的効果例えば透光性，遮光性あるいは着色効果が付与され、またバルブの側部に向かって進む光は、バルブの側部を透過し、さらにカラーキャップの第二の領域を透過することにより、第二の光学的効果例えば遮光性，透光性あるいは着色効果が付与されることになる。従って、異なる光学的効果を付与するために、従来のような金属膜の蒸着や塗装等が不要になり、簡単な構成により、容易に且つ低コストで表示灯用電球を得ることができる。
【００１９】
上記カラーキャップの第一の領域が、光学的効果として遮光性を備えており、第二の領域が光学的効果として透光性を備えている場合には、点灯時にフィラメントから出射する光のうち、バルブの頂部に向かって進む光は、バルブの頂部を透過し、さらにカラーキャップの第一の領域にて光学的効果としての遮光性により遮断され、またバルブの側部に向かって進む光は、バルブの側部を透過し、さらにカラーキャップの第二の領域にて光学的効果としての透光性により透過する。これにより、表示灯用電球は、側方のみに光を照射することができる。
【００２０】
上記カラーキャップの第一の領域が、光学的効果として透光性を備えており、第二の領域が光学的効果として遮光性を備えている場合には、点灯時にフィラメントから出射する光のうち、バルブの頂部に向かって進む光は、バルブの頂部を透過し、さらにカラーキャップの第一の領域にて光学的効果としての透光性により透過し、またバルブの側部に向かって進む光は、バルブの側部を透過し、さらにカラーキャップの第二の領域にて光学的効果としての遮光性により遮断される。これにより、表示灯用電球は、光軸方向のみに光を照射することができる。
【００２１】
上記光学的効果が、着色効果である場合には、点灯時にフィラメントから出射する光は、カラーキャップの第一の領域及び第二の領域にてそれぞれ互いに異なる色に着色され、それぞれ光軸方向及び側方に照射されることになる。
【００２２】
上記カラーキャップの第一の領域及び第二の領域が、それぞれ外部に出射する透過光の色が互いに同じ色になるように、光学的効果として互いに異なる着色効果を備えている場合には、点灯時にフィラメントから出射する光のうち、バルブの頂部に向かって進む光は、バルブの頂部を透過し、さらにカラーキャップの第一の領域にて光学的効果としての着色効果により着色されて透過し、またバルブの側部に向かって進む光は、バルブの側部を透過し、さらにカラーキャップの第二の領域にて光学的効果としての着色効果により着色されて透過する。その際、第一の領域及び第二の領域が透過光を同じ色に着色するように、例えば異なる濃度に構成されているので、表示灯用電球は、光軸方向及び側方に対して互いに同じ色で同じ輝度の光を照射することができる。これにより、カラーキャップを使用して照射光を着色する場合に、フィラメントの位置により、バルブの頂部及び側部から出射する光の色が微妙に異なることを防止することができる。
【００２３】
上記第二の構成によれば、カラーキャップが、バルブの頂部及び側部に対応する第一及び第二の領域にて、それぞれ異なる光学的効果を備えるように二色成形されているので、カラーキャップを表示灯用電球のバルブに被嵌させたとき、点灯時にフィラメントから出射する光のうち、バルブの頂部に向かって進む光は、バルブの頂部を透過し、さらにカラーキャップの第一の領域を透過することにより、第一の光学的効果例えば透光性，遮光性あるいは着色効果が付与され、またバルブの側部に向かって進む光は、バルブの側部を透過し、さらにカラーキャップの第二の領域を透過することにより、第二の光学的効果例えば遮光性，透光性あるいは着色効果が付与されることになる。
【００２４】
このようにして、本発明によれば、表示灯用電球のバルブに被嵌されるカラーキャップを、バルブの頂部及び側部に対応した領域毎に、異なる光学的効果を備えるように二色成形により形成するようにしたので、簡単な構成により低コストで、それぞれ光学的効果により透光性または遮光性を付与し、あるいは異なる着色効果により異なる色に着色しまたは同じ色で同じ輝度の透過光を得ることができる。従って、従来のような遮光膜を形成するための遮光材料の塗装や金属膜の蒸着が不要となり、容易に且つ低コストで表示灯用電球を構成することができる。
【００２５】
【発明の実施の形態】
以下、この発明の好適な実施形態を図１乃至図４を参照しながら、詳細に説明する。
尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【００２６】
図１は、本発明による表示灯用電球の第一の実施形態の構成を示している。
図１において、表示灯用電球１０は、ベース部１１と、ベース部１１の上に備えられたガラス製のバルブ１２と、バルブ１２全体に被嵌されるカラーキャップ１３と、を含んでおり、バルブ１２内に封入されたフィラメント（図示せず）に対して外部からベース部１１を介して給電されることにより、フィラメントが赤熱して発光し、フィラメントから出射する光が、バルブ１２及びカラーキャップ１３を通って外部に照射するようになっている。
【００２７】
以上の構成は、図７に示した従来の表示灯用電球７と同様の構成であるが、本発明による表示灯用電球１０においては、以下の点で異なる構成になっている。即ち、表示灯用電球１０においては、上記カラーキャップ１３は、バルブ１２の頂部１２ａに対応する第一の領域１３ａ及びバルブの側部１２ｂに対応する第二の領域１３ｂが互いに異なる光学的効果、この場合遮光性及び透光性を有するように、二色成形されている。
ここで、図２に詳細に示すように、カラーキャップ１３は、その第一の領域１３ａが、遮光性を有するように、遮光材料から形成されており、その第二の領域１３ｂが、透光性を有するように、透光性材料から形成されている。
【００２８】
本発明実施形態による表示灯用電球１０は、以上のように構成されており、外部からの給電によりフィラメントが発光すると、フィラメントからの光は、バルブ１２の頂部１２ａ及び側部１２ｂから外部に出射しようとする。その際、バルブ１２の頂部１２ａに向かって進む光は、カラーキャップ１３の第一の領域１３ａの光学的効果である遮光性により遮断されることにより、外部には出射せず、バルブ１２の側部１２ｂに向かって進む光のみが、バルブ１２の側部１２ｂを透過し、さらにカラーキャップ１３の第二の領域１３ｂの光学的効果である透光性により透過して、外部に出射する。これにより、表示灯用電球１０は、側方のみに光を照射することができる。
【００２９】
この場合、バルブ１２から出射する光に対して遮光性及び透光性を与えるカラーキャップ１３は、第一の領域１３ａ及び第二の領域１３ｂが、それぞれ異なる光学的効果を備えるプラスチック材料から二色成形により構成されているので、遮光部の形成のために従来のような塗装や金属膜の蒸着が不要であることから、容易に且つ低コストでカラーキャップ１３そして表示灯用電球１０を構成することができる。
【００３０】
図３は、本発明による表示灯用電球の第二の実施形態の構成を示している。
図３において、表示灯用電球２０は、図１に示した表示灯用電球１０とほぼ同様の構成であるので、同じ構成要素には同じ符号を付して、その説明を省略する。
表示灯用電球２０は、図１に示した表示灯用電球１０と比較して、カラーキャップ１３の代わりに、カラーキャップ２１を備えている点でのみ異なる構成になっている。
【００３１】
ここで、上記カラーキャップ２１は、バルブ１２の頂部１２ａに対応する第一の領域２１ａ及びバルブの側部１２ｂに対応する第二の領域２１ｂが互いに異なる光学的効果、この場合透光性及び遮光性を有するように、二色成形されている。
即ち、カラーキャップ２１は、その第一の領域２１ａが、透光性を有するように、透光性材料から形成されており、その第二の領域２１ｂが、遮光性を有するように、遮光材料から形成されている。
【００３２】
このような構成の表示灯用電球２０によれば、外部からの給電によりフィラメントが発光すると、フィラメントからの光は、バルブ１２の頂部１２ａ及び側部１２ｂから外部に出射しようとする。その際、バルブ１２の側部１２ｂに向かって進む光は、カラーキャップ２１の第二の領域２１ｂの光学的効果である遮光性により遮断されることにより、外部には出射せず、バルブ１２の頂部１２ａに向かって進む光のみが、バルブ１２の頂部１２ａを透過し、さらにカラーキャップ２１の第一の領域２１ａの光学的効果である透光性により外部に出射する。これにより、表示灯用電球２０は、光軸方向のみに光を照射することができる。
【００３３】
この場合、バルブ１２から出射する光に対して透光性及び遮光性を与えるカラーキャップ２１は、第一の領域２１ａ及び第二の領域２１ｂが、それぞれ異なる光学的効果を備えるプラスチック材料から二色成形により構成されているので、遮光部の形成のために、従来のような塗装や金属膜の蒸着が不要であることから、容易に且つ低コストでカラーキャップ２１そして表示灯用電球２０を構成することができる。
【００３４】
図４は、本発明による表示灯用電球の第三の実施形態の構成を示している。
図４において、表示灯用電球３０は、図１に示した表示灯用電球１０とほぼ同様の構成であるので、同じ構成要素には同じ符号を付して、その説明を省略する。
表示灯用電球３０は、図１に示した表示灯用電球１０と比較して、カラーキャップ１３の代わりに、カラーキャップ３１を備えている点でのみ異なる構成になっている。
【００３５】
ここで、上記カラーキャップ３１は、バルブ１２の頂部１２ａに対応する第一の領域２１ａ及びバルブの側部１２ｂに対応する第二の領域２１ｂが互いに異なる光学的効果、この場合それぞれバルブ１２からの透過光を同じ色及び同じ輝度にするように、互いに異なる着色効果を有するように、二色成形されている。
即ち、カラーキャップ３１は、その第一の領域３１ａが、同じ色で高い濃度を有するように、着色透光性材料から形成されており、その第二の領域３１ｂが、同じ色で低い濃度を有するように、着色透光性材料から形成されている。
【００３６】
このような構成の表示灯用電球３０によれば、外部からの給電によりフィラメントが発光すると、フィラメントからの光は、バルブ１２の頂部１２ａ及び側部１２ｂから外部に出射しようとする。
その際、バルブ１２の頂部１２ａに向かって進む光は、バルブ１２の頂部１２ａを透過し、カラーキャップ３１の第一の領域３１ａの光学的効果である高い濃度の着色効果を付与されて透過すると共に、バルブ１２の側部１２ｂに向かって進む光は、バルブ１２の側部１２ｂを透過し、カラーキャップ３１の第二の領域３１ｂの光学的効果である低い濃度の着色効果を付与されて透過する。
これにより、カラーキャップ３１の第一の領域３１ａ及び第二の領域３１ｂをそれぞれ透過した光は、異なる着色効果を付与されることにより、同じ色で且つ同じ輝度の光となって、外部に出射することになる。従って、表示灯用電球３０は、光軸方向及び側方に対して同じ色で且つ同じ輝度の光を照射することができる。
【００３７】
この場合、バルブ１２から出射する光に対して異なる着色効果を与えるカラーキャップ３１は、第一の領域３１ａ及び第二の領域３１ｂが、それぞれ異なる着色効果を備えるプラスチック材料から二色成形により構成されているので、容易に且つ低コストでカラーキャップ３１そして表示灯用電球３０を構成することができると共に、フィラメント位置に基づくバルブ１２の頂部１２ａ及び側部１２ｂからの光が微妙に異なる色になってしまうようなことはない。
【００３８】
このようにして、本発明によれば、表示灯用電球のバルブに被嵌されるカラーキャップを二色成形により構成することにより、簡単な構成により低コストで、バルブの頂部及び側部を透過する光に対して、互いに異なる光学的効果を付与することができる。従って、本発明によれば、車載用のカーステレオ，スイッチ関係の照明用の表示灯で使用される表示灯用電球や、民生用機器，遊技用機器等の各種機器の照明あるいは表示のために最適な表示灯用電球を提供することができる。
【００３９】
上述した実施形態においては、各カラーキャップ１３，２１は、それぞれ第一の領域及び第二の領域が、遮光性または透光性を付与するように構成されているが、一方の領域が遮光性を備えると共に、他方の領域が光学的効果として着色効果を有するように構成されていてもよいことは明らかである。
また、上述した実施形態においては、カラーキャップ３１は、第一の領域３１ａ及び第二の領域３１ｂが、透過光を同じ色で且つ同じ輝度にするように構成されているが、これに限らず、各領域を透過する光を互いに異なる色に着色するように構成されていてもよいことは明らかである。
【００４０】
【発明の効果】
以上述べたように、本発明によれば、カラーキャップが、バルブの頂部及び側部に対応する第一及び第二の領域にて、それぞれ異なる光学的効果を備えるように二色成形されているので、点灯時にフィラメントから出射する光のうち、バルブの頂部に向かって進む光は、バルブの頂部を透過し、さらにカラーキャップの第一の領域を透過することにより、第一の光学的効果例えば透光性，遮光性あるいは着色効果が付与され、またバルブの側部に向かって進む光は、バルブの側部を透過し、さらにカラーキャップの第二の領域を透過することにより、第二の光学的効果例えば遮光性，透光性あるいは着色効果が付与されることになる。
【００４１】
上記カラーキャップの第一の領域が、光学的効果として遮光性を備えており、第二の領域が光学的効果として透光性を備えている場合には、点灯時にフィラメントから出射する光のうち、バルブの頂部に向かって進む光は、バルブの頂部を透過し、さらにカラーキャップの第一の領域にて光学的効果としての遮光性により遮断され、またバルブの側部に向かって進む光は、バルブの側部を透過し、さらにカラーキャップの第二の領域にて光学的効果としての透光性により透過する。これにより、表示灯用電球は、側方のみに光を照射することができる。
【００４２】
上記カラーキャップの第一の領域が、光学的効果として透光性を備えており、第二の領域が光学的効果として遮光性を備えている場合には、点灯時にフィラメントから出射する光のうち、バルブの頂部に向かって進む光は、バルブの頂部を透過し、さらにカラーキャップの第一の領域にて光学的効果としての透光性により透過し、またバルブの側部に向かって進む光は、バルブの側部を透過し、さらにカラーキャップの第二の領域にて光学的効果としての遮光性により遮断される。これにより、表示灯用電球は、光軸方向のみに光を照射することができる。
【００４３】
上記光学的効果が、着色効果である場合には、点灯時にフィラメントから出射する光は、カラーキャップの第一の領域及び第二の領域にてそれぞれ互いに異なる色に着色され、それぞれ光軸方向及び側方に照射されることになる。
【００４４】
上記カラーキャップの第一の領域及び第二の領域が、それぞれ外部に出射する透過光の色が互いに同じ色になるように、光学的効果として互いに異なる色に着色されている場合には、点灯時にフィラメントから出射する光のうち、バルブの頂部に向かって進む光は、バルブの頂部を透過し、さらにカラーキャップの第一の領域にて光学的効果としての着色効果により着色されて透過し、またバルブの側部に向かって進む光は、バルブの側部を透過し、さらにカラーキャップの第二の領域にて光学的効果としての着色効果により着色されて透過する。その際、第一の領域及び第二の領域が透過光を同じ色に着色するように、例えば異なる濃度に構成されているので、表示灯用電球は、光軸方向及び側方に対して互いに同じ色で同じ輝度の光を照射することができる。
【００４５】
このようにして、本発明によれば、簡単な構成により低コストで、所望の光学的効果即ち方向性または色彩を得るようにした、極めて優れた表示灯用電球及びカラーキャップが提供され得る。
【図面の簡単な説明】
【図１】本発明による表示灯用電球の第一の実施形態の構成を示す一部破断概略側面図である。
【図２】図１の表示灯用電球で使用されるカラーキャップの拡大断面図である。
【図３】本発明による表示灯用電球の第二の実施形態の構成を示す一部破断概略側面図である。
【図４】本発明による表示灯用電球の第三の実施形態の構成を示す一部破断概略側面図である。
【図５】従来の表示灯用電球の一例の構成を示す概略側面図である。
【図６】従来の表示灯用電球の他の例の構成を示す概略側面図である。
【図７】従来の表示灯用電球のさらに他の例の構成を示す一部破断概略側面図である。
【符号の説明】
１０，２０，３０　　表示灯用電球
１１　　ベース部
１２　　バルブ
１２ａ　頂部
１２ｂ　側部
１３　　カラーキャップ
１３ａ　第一の領域（遮光性）
１３ｂ　第二の領域（透光性）
２１　　カラーキャップ
２１ａ　第一の領域（透光性）
２１ｂ　第二の領域（遮光性）
３１　　カラーキャップ
３１ａ　第一の領域（高い濃度）
３１ｂ　第二の領域（低い濃度）
【図１】
2004127803.tif 000003
【図２】
2004127803.tif 000004
【図３】
2004127803.tif 000005
【図４】
2004127803.tif 000006
【図５】
2004127803.tif 000007
【図６】
2004127803.tif 000008
【図７】
2004127803.tif 000009